(57)【要約】    【課題】  従来のワンタフト歯ブラシは、毛束が開いてしまうなどして歯ブラシとしての性能が劣化してしまうとハンドルを含む全体を廃棄して新品と交換する、所謂、使い捨てのものであった。そのため、消費者にとってはワンタフト歯ブラシを使い続ける上で経済的な負担が大きく、また、プラスチックゴミとしての廃棄量も多くなってしまうので、地球環境にも負担を掛けていた。そこで、ワンタフト歯ブラシの交換による使用者の経済的負担や、地球環境への負担を軽減するワンタフト歯ブラシを提供することを課題とする。    【構成】  単一の毛束が歯ブラシヘッドに取り付けられたワンタフト歯ブラシにおいて、前記毛束と歯ブラシヘッドとを着脱自在に取り付けたワンタフト歯ブラシ。    【選択図】    図１
2008272038.tif 000002
【特許請求の範囲】
【請求項１】
単一の毛束が歯ブラシヘッドに取り付けられたワンタフト歯ブラシにおいて、前記毛束と歯ブラシヘッドとを着脱自在に取り付けたことを特徴とするワンタフト歯ブラシ。
【請求項２】
前記毛束の一端にホルダを固定すると共に、そのホルダを前記歯ブラシヘッドに対して着脱自在となしたことを特徴とする請求項１記載にワンタフト歯ブラシ。
【請求項３】
前記毛束の形状を先端部に向かい先鋭に形成したことを特徴とする請求項１、或いは、請求項２に記載のワンタフト歯ブラシ。
【請求項４】
前記歯ブラシヘッドにグリップを延設すると共に、そのグリップの長手方向における軸線と、毛束の歯ブラシヘッドへの着脱方向における軸線とを非直角な状態で交差するよう形成すると共に、前記毛束を歯ブラシヘッドの表面方向、並びに、裏面方向の何れの方向からも着脱自在となしたことを特徴とする請求項１〜請求項３の何れかに記載のワンタフト歯ブラシ。
【請求項５】
前記毛束の歯ブラシヘッドに対する回転防止手段を設けてなる請求項１〜請求項４の何れかに記載のワンタフト歯ブラシ。
【請求項６】
前記回転防止手段を前記毛束と歯ブラシヘッドに形成した断面形状が非円形状の取り付け部となしたことを特徴とする請求項５に記載のワンタフト歯ブラシ。
【請求項７】
前記回転防止手段を前記毛束と歯ブラシヘッドに形成した断面形状が多角形状の取り付け部となしたことを特徴とする請求項５に記載のワンタフト歯ブラシ。
【発明の詳細な説明】
【技術分野】
【０００１】
本発明は、単一の毛束が歯ブラシヘッドに取り付けられたワンタフト歯ブラシに関する。
【背景技術】
【０００２】
ハンドル（グリップ）を把持して、その一端に形成されたブラシ部を用いて口腔内を清掃するいわゆる歯ブラシの中でも、ブラシ部としての毛束を一つしか持たず、且つその毛束を先鋭形状となるようになしたもので、通常の歯ブラシでは磨きにくい歯間などの隙間を主に清掃するための、所謂、ワンタフト歯ブラシは市場で広く知られている。
【特許文献１】特開平４−２２６６４６
【発明の開示】
【発明が解決しようとする課題】
【０００３】
従来のワンタフト歯ブラシは、毛束が開いてしまうなどして歯ブラシとしての性能が劣化してしまうとハンドルを含む全体を廃棄して新品と交換する、所謂、使い捨てのものであった。そのため、消費者にとってはワンタフト歯ブラシを使い続ける上で経済的な負担が大きく、また、プラスチックゴミとしての廃棄量も多くなってしまうので、地球環境にも負担を掛けていた。
本発明の課題は上記の問題を解決することにある。
【課題を解決するための手段】
【０００４】
本発明は、単一の毛束が歯ブラシヘッドに取り付けられたワンタフト歯ブラシにおいて、前記毛束と歯ブラシヘッドとを着脱自在に取り付けたことを要旨とする。
【発明の効果】
【０００５】
本発明は、単一の毛束が歯ブラシヘッドに取り付けられたワンタフト歯ブラシにおいて、前記毛束と歯ブラシヘッドとを着脱自在に取り付けたので、毛束が開いてしまうなどして歯ブラシとしての性能が劣化してしまっても、ブラシ部分のみの交換が可能となり、使用者の経済的負担及び地球環境に対する負担を軽くすることが出来る。
【発明を実施するための最良の形態】
【０００６】
図１に本発明にかかるワンタフト歯ブラシの全体図を示す。さらに、図２に取り外した状態の毛束セット５、図３に毛束セット５を取り外した状態のヘッド２周辺の拡大図、図４に分解した毛束セット５の姿を示す。
毛束４はナイロン・ポリエステル・ＰＢＴなどの合成樹脂繊維で形成されるとともに、それを構成する毛の一本一本を先鋭に加工したものである。よって、それらが集まって構成される毛束４も先鋭形状となるものである。毛束４の先鋭に加工されていない一端は、繊維そのものを溶着（溶着部６）することで結合して毛束の形状を保っている。該溶着部６の外径は、その溶融により溶けた部分が外周方向へと拡散し、その拡散によって毛束４の外径より大きくなるように形成されている。
【０００７】
前記毛束４は毛束基部（ホルダ）３に設けられた貫通穴７に挿入される。該貫通穴７は、その内部に段差８を１箇所設けており、毛束４に設けられた大径の溶着部６が該段差８に引っかかることで毛束４が毛束基部３から抜け落ちないようにしている。その毛束４は貫通穴７の一端から先鋭加工した一端を突出し、貫通穴７内部の段差８によって先鋭加工した側に抜け落ちないようになっている。
さらに、毛束４を挿入した後、貫通穴７を尾栓９で塞いでいる。その尾栓９は、その尾栓９の外周に設けられた円周状のリブ１０と貫通穴７の内部に設けられた円周状のリブ１１が乗越え嵌合することで抜けることの無いように固定される。つまり、毛束４は毛束基部３に設けられた貫通穴７の内部で、前記溶着部６が段差８と尾栓９に挟まれることによって完全に固定される。
【０００８】
前記毛束基部３は毛束４に対して径方向の断面形状を略正方形となしており、ワンタフト歯ブラシのヘッド２に設けられた略正方形の穴１２と嵌合した際に、毛束基部３とヘッド２が相対的に回転しないようになしている。
また、毛束基部３は、毛束４が突出している側の端面に鍔部１３を設けてあり、ヘッド２の穴１２と嵌合する際には、その鍔部１３を穴１２の周縁部に突き当てて歯ブラシ使用時に毛束セット５（毛束基部３と毛束４）がヘッド２に押し込まれることを防止している。
さらに、鍔部１３の反対側の端部には係止リブ１４を設けている。その係止リブ１４は、毛束基部３をヘッド２に嵌合した際に、そのヘッド２の穴１２の反対側に位置して係合し、この係合によって毛束セット５の不意な脱落を防ぐ役割をするものである。即ち、毛束４を有する毛束基部３は、鍔部１３と係止リブ１４によってヘッド２（穴１２の周縁部）を挟み込んでいる。
【０００９】
前記ヘッド２に設けられた穴１２は、グリップ１の長手方向における軸線と平行な対角線を有する向きに設けられた略正方形形状の穴であり、また、それらヘッド２および穴１２は、表面と裏面の形状が同一な構成をなしており、即ち、表面と裏とが対象の形状をなしている。
さらに、穴１２の前記グリップ１の長手方向における両端には、それぞれスリット（１５、１６）が設けられている。一方のスリット１５は表裏に貫通して形成されており、ヘッド２の先端を２分している。また、他方のスリット１６はグリップ１の方向に表裏を貫通して形成されている。これら２つのスリット１５、１６の作用により、前記毛束セット５をヘッド２に嵌合する際、係止リブ１４が穴１２を押し広げながら通過する。つまり、穴１２を比較的容易に拡開させることができ、これによって、使用者が自らの手で毛束セット５を着脱できるようにしている。そして、使用者が毛束４のヘッド２に対する突出方向を表裏反転させたり、毛束セット５を新しい物に交換したり出来るようになる。また、毛束４とその固定部分（毛束基部３）のみを交換できるので、非常に経済的であり環境に対する負荷も少ないものである。
前記ヘッド２はネック１８を介してグリップ１と一体に形成されており、グリップ１の長手方向における軸線に対して平行または垂直でない角度で斜めに形成されている。これによって、前述のように毛束セット５のヘッド２に対する嵌合方向を表裏反転させることによって使用者の使い勝手に変化を与えることが出来る。即ち、使用者は自分の癖や口内のブラッシングしたい部分に応じて毛束４の突出方向を表裏どちらかに選択することができる（図５参照）。
【００１０】
前記グリップ１には使用者が把持した際に、親指、人差し指、中指で歯ブラシの向きをコントロールできるように、操作を補助するためのリブ１７を４本、グリップ１の長手方向に伸びる向きに設けている。このリブ１７に指を掛けながらブラッシングすることで、歯ブラシ全体の不意な回転を防止すると共に、使用者が自らの意思で歯ブラシを回転させる際には回転させたい位置に正確に固定することができるようになる。
【００１１】
本実施例にかかるワンタフト歯ブラシは、上記のように使用者が自らの使いやすいブラシ角度を選択してワンタフト歯ブラシを用いることが出来る構成を採っている。その結果、本実施例においては、従来のワンタフト歯ブラシの課題である、毛束の向きと清掃対象である口腔内とのなす角度が重要であるにもかかわらず、従来のワンタフト歯ブラシではハンドルとブラシの角度が固定されているために、使用者がハンドルを持ち替えながらブラシの角度が最適となるように調節しつつ使用しなければならないと言う課題と、使用者の中にはハンドルの持ち替えがうまくいかないために毛束と被清掃面との角度を最適な角度にできない場合があると言う課題をも解決するに至っている。
【００１２】
図６に本発明にかかる第２の実施例を示す。
本実施例は、グリップ１に設けたダイヤル１９を回すことによって、ネック内部３８を通過し、ヘッド３９へ抜けるバンド２０を締め付けたり、緩めたり出来る構造になっている。そのヘッド３９でバンド２０によって作られる輪の中に毛束基部３を挿入した状態で、ダイヤル１９を回してバンド２０を締め付ければ、毛束セット４０がヘッド３９に固定されるので、歯ブラシとして使用できる。また、バンド２０及びヘッドには表裏の別が無いので、表裏反転させた状態に毛束セット４０を固定することもできる。
さらに、毛束４にカバー部材２１をあらかじめ装着しておけば、使用者はカバー部材２１を把持して毛束セット５の着脱操作を行うことが出来る。前記締め付け操作はグリップ１に設けられたダイヤル１９で行うので、毛束セット５およびヘッド周辺に直接触れることなく毛束セット４０を交換できるようになる。このことにより、非常に衛生的に歯ブラシを使用することが出来るものである。
また、本実施例にあっては、毛束セット４０の着脱操作をグリップ１の近傍で行うこと、即ち、毛束セット４０が固定されているヘッドから離隔した位置で着脱操作を行うことが重要であり、その操作方法がダイヤル１９ではなく、たとえば、ボタンスイッチのようなものであってもよい。
【００１３】
図７に本発明にかかる第３の実施例を示す。
本実施例は、毛束２２の根元部における断面形状を三角になるように形成したものである。このような形状を採ることにより、毛束２２に角（かど）２３を形成することができる。使用者はこの角２３を利用して、より効率的に歯の隙間を清掃することが出来るようになる。なお、本実施例においては毛束２２の断面形状を非円形に形成することが重要なのであって、その断面形状が例えば四角や星形、あるいは楕円形状であってもよい。
【００１４】
図８に本発明にかかる第４の実施例を示す。
本実施例は、毛束の根元部における断面形状を非円形にする点において前記第３の実施例と共通するが、毛束４１の先鋭加工を施さず、断面形状は１つの角２４が突出して鋭角となるようにした。さらに、毛束基部２５とヘッド２が嵌合する部分の断面形状を四角よりも辺が多い８角形とした。
以上の構成により、本実施例にかかるワンタフト歯ブラシは、毛束４１の一方向に、特に優れた清掃能力を持つとともに、ヘッドに対する毛束セット２６の嵌合位置を８方向に調節することができる。よって、使用者は角２４の向きを口内の清掃したい場所や自らの好みに合わせて調節することができ、高い清掃効率を得ることができる。
なお、前記ヘッド２の嵌合穴１２は、図３のような略四角形のままでも良いが、毛束基部２５に合わせた８角形とした方がより強固な固定ができる。
【００１５】
図９に本発明にかかる第５の実施例を示す。
本実施例は、ヘッド２７の取り付け穴５０に底部５１を設けると共に、その底部５１に磁石２８を埋設し、その穴５０に装着される毛束基部２９内に金属片３０を埋設したものである。前記磁石２８と金属片３０の間に発生する吸着力でヘッド２７と毛束基部２９を接合するようになしている。その結果、ヘッド２７にはスリット（前記第１実施例）を設ける必要が無くなる。よって、歯ブラシ使用後にスリット内に水が溜まる恐れが無く、雑菌が繁殖する可能性を低く抑えることができ、非常に衛生的である。また、ヘッド２７に対して毛束基部２９が若干入り込んで接合するようにすると共に、取り付け穴５０の形状を非円形にすることで、毛束５２の回転防止も可能である。さらに、ヘッド２７の反対側にも同様の取り付け穴５０を形成することで毛束５２をヘッド２７に対して表裏逆に装着することも可能となる。
【００１６】
図１０に本発明にかかる第６の実施例を示す。
本実施例は、毛束基部３１の嵌合部３３をヘッド３２に形成された嵌合穴３４よりも若干大きく設けており、嵌合部３３を嵌合穴３４に圧入することにより、嵌合穴３４が嵌合部３３を締め付けることで毛束基部３１はヘッド３２に固定される。また、その毛束基部３１の嵌合部３３の断面形状を略四角形とし、ヘッド３２に設けられた嵌合穴３４の断面形状も略四角形とすることで毛束（符号）の回転も防止している。さらに、前記嵌合穴３４はヘッド３２の反対側にまで貫通しているので、毛束（符号）の嵌合方向を表裏逆にしても問題なく嵌合できるものである。
このような構成を採ることで、前述の第５実施例と同様にスリット（第１実施例）を廃止でき、雑菌が繁殖する可能性を抑えることができ、非常に衛生的である。さらに、第５実施例のように磁石等の吸着手段を必要としないため、低コストで生産することもできる。
【００１７】
図１１に本発明にかかる第７の実施例を示す。
本実施例は、毛束基部３５とヘッド３６をネジ螺合によって着脱するものである。前記ヘッド３６に形成された穴３７の内面には、雌ネジ５３が形成されており、一方、毛束基部３５の外面には、前記雌ネジ５３と螺合する雄ネジ５４が形成されている。前記雌ネジ５３形成されているヘッド３６の穴３７には、反対側まで全長に渡って雌ネジ５３を設けてあるので、毛束基部３５はヘッド３６の反対側からも問題なく螺合することができる。
【００１８】
図１２に本発明にかかる第８の実施例を示す。
本実施例は、毛束基部４１に植設された毛束４２を植設面に対して角度を付けて設けたものである。また、毛束基部４１は、ヘッド２との嵌合部の断面形状を略正四角形としている。このような構成を採ることにより、ヘッド２と毛束セット４４を嵌合させるとヘッド２の面に対して毛束４２は角度をもって固定される。使用者は毛束基部４１とヘッド２の嵌合により、毛束４２の向きを選択的に変更することができる。よって、ハンドル１に対する毛束４２の角度の選択肢を飛躍的に増加させることができる。
【００１９】
図１３に本発明にかかる第９の実施例を示す。
本実施例は、スイッチ４５をグリップの長手方向における軸線に対してスライドさせることにより、ヘッド４６が開閉するようになしている。そのヘッド４６に毛束基部４７の嵌合部４８を挟み込み、ヘッド４６を閉じることで毛束基部４７を固定する。このような構成をと採ることで、第２の実施例に比べて構造が複雑化する反面、さらに簡便な操作で毛束セット４９のヘッド４６に対する着脱が可能となる。
【産業上の利用可能性】
【００２０】
本発明によるワンタフト歯ブラシは、使用者の使い勝手に応じてグリップと毛束の角度を選択的に変更でき、しかも、毛束が不意に回転してブラッシング力を損なう恐れも無い。また、毛束の先が開いてしまうなどして毛束が寿命を迎えた場合には、毛束セットのみを交換することが出来るようになしたものである。
【図面の簡単な説明】
【００２１】
【図１】ワンタフト歯ブラシの全体図を示す。
【図２】毛束セットの外観図を示す。
【図３】毛束セットを取り外した状態のヘッド部周辺図を示す。
【図４】毛束セットの分解図を示す。ただし、毛束基部のみは３／４断面図である。
【図５】全体側面図で毛束セットをヘッドの表（ａ）裏（ｂ）に付け替えた場合の比較図面である。
【図６】本発明の第２実施例を示す要部拡大図である。
【図７】本発明の第３実施例にかかる毛束セットを示す図である。
【図８】本発明の第４実施例を示す要部拡大図である。
【図９】本発明の第５実施例を示す要部拡大図である。
【図１０】本発明の第６実施例を示す要部拡大図である。
【図１１】本発明の第７実施例を示す要部拡大図である。
【図１２】本発明の第８実施例にかかる毛束セットを示す図である。
【図１３】本発明の第９実施例を示す要部拡大図である。
【符号の説明】
【００２２】
１        グリップ
２        ヘッド
３        毛束基部
４        毛束
５        毛束セット
６        溶着部
７        貫通穴
８        段差
９        尾栓
１０        尾栓のリブ
１１        貫通穴のリブ
１２        穴
１３        鍔部
１４        係止リブ
１５        スリット
１６        スリット
１７        グリップのリブ
１８        ネック
１９        ダイヤル
２０        バンド
２１        カバー部材
２２        毛束
２３        角
２４        角
２５        毛束基部
２６        毛束セット
２７        ヘッド
２８        磁石
２９        毛束基部
３０        金属片
３１        毛束基部
３２        ヘッド
３３        嵌合部
３４        嵌合穴
３５        毛束基部
３６        ヘッド
３７        穴
３８        ネック内部
３９        ヘッド
４０        毛束セット
４１        毛束基部
４２        毛束
４３        植設面
４４        嵌合部
４５        スイッチ
４６        ヘッド
４７        毛束基部
４８        嵌合部
４９        毛束セット
５０        取付穴
５１        底部
５２        毛束
５３        雌ネジ
５４        雄ネジ
【図１】
2008272038.tif 000003
【図２】
2008272038.tif 000004
【図３】
2008272038.tif 000005
【図４】
2008272038.tif 000006
【図５】
2008272038.tif 000007
【図６】
2008272038.tif 000008
【図７】
2008272038.tif 000009
【図８】
2008272038.tif 000010
【図９】
2008272038.tif 000011
【図１０】
2008272038.tif 000012
【図１１】
2008272038.tif 000013
【図１２】
2008272038.tif 000014
【図１３】
2008272038.tif 000015